(57)【特許請求の範囲】
【請求項１】
射出筒５前部を大内径筒部22として、該大内径筒部外面へノズルキャップ31の周壁33を嵌合させると共に、上記大内径筒部内へ弾性圧縮可能に設けた弁部材41の後面を大内径筒部22の後部が形成する吐出弁座へ圧接させて吐出弁53となし、かつ弁部材前端面にスピン機構溝51を穿設して、大内径筒部後方の射出筒部分内液体の高圧化で吐出弁53が開くと、大内径筒部22内およびスピン機構溝51を介してノズル孔34から噴霧可能に設けたトリガー式液体噴出器において、
上記弁部材41を、基端部外面に第１外向きフランジ43を有する棒状部材42と、該棒状部材の先端側へ摺動自在に嵌合させた鞘部分47の基端面を端板48で閉塞すると共に該基端側に第２外向きフランジ49を付設した鞘部材46と、上記第１、第２外向きフランジ間に介装させた圧縮コイルスプリング52とで形成して、棒状部材の第１外向きフランジ43後面を吐出弁形成面とし、かつ鞘部材46の前面にスピン機構溝51を穿設し、又
上記大内径筒部22内面の後面内周部から短筒23を前方突出して該短筒前面を吐出弁座とすると共に、棒状部材42の第１外向きフランジ43外周から後外方へ拡開するテーパ状筒44を突出させて、該テーパ状筒内面を上記弁座への弁体当接面とした
ことを特徴とする、トリガー式液体噴出器。
【発明の詳細な説明】
【０００１】
【発明の属する技術分野】
本発明はトリガー式の液体噴出器に関する。
【０００２】
【従来の技術】
トリガー式液体噴出器として従来種々のものが知られているが、吐出弁の位置がノズル孔から離れるに従って液体吐出圧が低下するから、該吐出圧の低下を防止するために、射出筒前部を大内径筒部として、該筒部内へ弁部材を嵌合させると共に該筒部外面へノズル孔付きノズルキャップを嵌合させて、上記大内径筒部の後面と弁部材後部に付設した外向きフランジとで形成した吐出弁を、上記ノズルキャップ前壁が有するノズル孔に近づけたものが知られている。その弁部材は前後方向中間部に弾性圧縮可能な弾性リングを介在させ、該リングの反発力で弁部材後部の外向きフランジ後面を大内径筒部の後面へ、又スピン機構溝等の溝付きの弁部材前端面をノズルキャップ前壁へ、それぞれ圧接させており、弾性に富む合成樹脂材で一体成形させている。
【０００３】
【発明が解決しようとする課題】
上記従来の弁部材は合成樹脂材で一体成形させているから、弾性リング圧縮状態が長期になるとその弾性が弱まり、例えば弁部材前端面に噴出液体高速回転用のスピン機構溝を設けて該溝を介してノズル孔から液体を霧化させて噴出させる液体噴出器の場合は、その霧化が不完全となるものであった。
【０００４】
このような霧化の不完全化は、射出筒前部外面へ嵌合させたノズルキャップの嵌合が弛むことでも発生する。
【０００５】
本発明は主として上記のような噴出液体霧化の不完全化を防止することを目的とする。
【０００６】
【課題を解決するための手段】
第１の手段は、射出筒５前部を大内径筒部22として、該大内径筒部外面へノズルキャップ31の周壁33を嵌合させると共に、上記大内径筒部内へ弾性圧縮可能に設けた弁部材41の後面を大内径筒部22の後部が形成する吐出弁座へ圧接させて吐出弁53となし、かつ弁部材前端面にスピン機構溝51を穿設して、大内径筒部後方の射出筒部分内液体の高圧化で吐出弁53が開くと、大内径筒部22内およびスピン機構溝51を介してノズル孔34から噴霧可能に設けたトリガー式液体噴出器において、
上記弁部材41を、基端部外面に第１外向きフランジ43を有する棒状部材42と、該棒状部材の先端側へ摺動自在に嵌合させた鞘部分47の基端面を端板48で閉塞すると共に該基端側に第２外向きフランジ49を付設した鞘部材46と、上記第１、第２外向きフランジ間に介装させた圧縮コイルスプリング52とで形成して、棒状部材の第１外向きフランジ43後面を吐出弁形成面とし、かつ鞘部材46の前面にスピン機構溝51を穿設し、又
上記大内径筒部22内面の後面内周部から短筒23を前方突出して該短筒前面を吐出弁座とすると共に、棒状部材42の第１外向きフランジ43外周から後外方へ拡開するテーパ状筒44を突出させて、該テーパ状筒内面を上記弁座への弁体当接面としている。
【００１１】
【発明の実施の形態】
以下図面について説明すると、１はトリガー式液体噴出器全体を一例で示す。該噴出器は射出筒の前部およびノズルキャップ部分を除いて公知であり、よって簡単に説明すると、２は噴出器本体で、該本体の後部上面からは斜上後方へ支持板３を突出しており、又その噴出器本体が有するシリンダ内からは、下端に筒状ピストンを有するステム４を上方付勢させて起立し、該ステム上部を前方へ屈折させて射出筒５としている。６は逆Ｌ字形状に設けたトリガー付き部材で、トリガー７上端を後方へ屈曲させて左右一対の横向き平行板部８、８となし、該平行板部間に上記ステムの上部および射出筒５を介在させてその後端を支持板３上端に枢止９させ、又ステム上端部の左右から突出させたピン10、10を上記平行板部８、８の対応部分へ枢止させ、トリガー７の後方引寄せによりトリガー付き部材６が支持板上端部を中心として下方へ揺動すると、上記ピン10を介して射出筒５付きステム４が下降し、すると本体内シリンダが加圧されることで、該シリンダ内液体はステム４および射出筒５を通って後述ノズルキャップが有するノズル孔から噴出する。
【００１２】
上記射出筒５前部は外方張出し壁部21を介して大内径筒部22に形成させており、大内径筒部22の後面内周部からは前端面を弁座とする短筒23を前方突出しているが該短筒は必ずしも必要としない。又大内径筒部22の前端部外面と、後部外面とには第１、第２係合突条24、25を周設させており、更に後端部外面には外向きフランジ26を付設させている。
【００１３】
上記大内径筒部２２外面へはノズルキャップ３１を嵌合させる。該キャップは前壁３２外周から周壁３３を後方へやや拡開させて突出し、その前壁中心にはノズル孔３４を穿設している。又周壁３３の前部内面には、上記第１係合突条２４後面へ係合する第３係合突条３５を周設している。これ等第１係合突条２４と第３係合突条３５とは互いに逆刺状に形成してあり、射出筒前部、つまり大内径筒部２２外面へのノズルキャップ３１打設によって第３係合突条３５が第１係合突条２４を強制乗越えして第１係合突条２４後面へ第３係合突条３５前面が係合できるよう設けている。周壁３３の後部内面は第２係合突条２５外面へ接し、又周壁後端面は既述外向きフランジ２６のやや前方に位置させている。
【００１４】
41は大内径筒部22内へ嵌合させた弾性圧縮可能な弁部材で、該弁部材は、基端部外面に第１外向きフランジ43を有する棒状部材42と、該棒状部材の先端側へ摺動自在に嵌合させた鞘部分47の基端面を端板48で閉塞すると共に該基端側へ第２外向きフランジ49を付設した鞘部材46と、上記第１、第２外向きフランジ間に介装させた圧縮コイルスプリング52とで形成する。
【００１５】
上記棒状部材42は、図示例において第１外向きフランジ43外周から後外方へ拡開させてテーパ状筒44を突出させており、該テーパ状筒の前後方向中間部内面を既述短筒23前面が形成する吐出弁座への弁体当接面としている。但し短筒23を設けない場合は大内径筒部22内後面27へ直接第１外向きフランジ43後面を当接させてもよく、又上記テーパ状筒44の後面を上記後面27へ当接させて吐出弁53を形成してもよい。図示例では又棒状部材後面からガイド杆45を後方へ突出し、該ガイド杆を大内径筒部22よりも後方の射出筒部分内へ挿入させている。尚該ガイド杆は射出筒孔内の液体通路容量を少なくするために設けたものである。
【００１６】
鞘部材４６は、上記棒状部材の前部外面へ摺動可能に嵌合させた鞘部分４７の前端面を端板４８で閉塞し、かつ該端板側が形成する基端側外周に第２外向きフランジ４９を付設している。その第２外向きフランジ４９の外周一部には液体通路としての溝５０を設けている。又端板４８の前面には公知のスピン機構溝５１を穿設して上記溝を通って第２外向きフランジ４９とノズルキャップの前壁３２との間に入った液体はそのスピン機構溝を通過することで高速回転し乍らノズル孔３４から霧となって噴出するよう設けている。
【００１８】
上記構成において、数回トリガーが作動された状態からトリガーを引寄せすると、シリンダ内液体高圧化により吐出弁より後方の射出筒部分内液体も高圧化されて後方弁形成部材を前方へ押圧し、すると鞘部分47内へ棒部分先端部がコイルスプリング52の弾性に抗して押込まれることで後方弁形成部材が前進し、よって吐出弁が開く。すると大内径筒部22内面と弁部材外面との間を通ってスピン機構溝51内へ高圧液体が入り、高速回転し乍らノズル孔34から霧となって噴出する。尚ノズルキャップ31には公知の発泡筒を連結することも出来、このようにすることでノズル孔から噴出した霧は発泡筒内を通過することで発泡し、泡となって噴出することとなる。
【００１９】
液体噴出により吐出弁後方の射出筒部分内液体圧が低下するとコイルスプリング52の復元によって後方弁部分が後退し、吐出弁が閉塞する。
【００２０】
【発明の効果】
本発明は既述構成とするものであり、弾性圧縮可能に設けた弁部材４１の弾性の劣化を防止でき、又弁部材を棒状部材４２と鞘部材４６とで形成し、その棒状部分先端部を鞘部分内へ摺動自在に嵌合させ、かつ上記両部が有する外向きフランジ間に圧縮コイルスプリング５２を介装させたから、弁部材の弾性圧縮をスムーズに行わせることが出来る。又吐出弁の密閉が確実となる。
【図面の簡単な説明】
【図１】  本発明液体噴出器の縦断面図である。
【図２】  図１要部の拡大断面図である。
【符号の説明】
５…射出筒              22…大内径筒部
31…ノズルキャップ      41…弁部材
42…棒状部材            46…鞘部材
51…スピン機構溝        52…コイルスプリング
【図１】
0003956183.tif 000002
【図２】
0003956183.tif 000003